(57)【特許請求の範囲】
【請求項１】
多角形の各辺を骨組で形成し、各辺で囲まれた内側には不透水性シートを張設して形成したシート台船を、覆土用シート敷設区域の一辺に位置させ、牽引手段に連結し、覆土用シートをシート台船上に展張してすでに敷設した覆土用シートが存在する場合は、すでに敷設した覆土用シートと展張した覆土用シートの接した端部を互いに連結した後、上記牽引手段でシート台船を次の覆土用シートを敷設する位置へ移動して、上記の覆土用シートの敷設作業を繰り返し行なう覆土用シートの敷設方法。
【請求項２】
多角形の各辺の骨組を浮体とした請求項１記載の覆土用シートの敷設方法。
【請求項３】
不透水性シートとして、高密度ポリエチレンシートを使用する請求項１又は請求項２記載の覆土用シートの敷設方法。
【請求項４】
多角形の各辺を骨組で形成し、骨組と骨組とで囲まれた空間に高密度ポリエチレンシートを骨組を包み込むように貼った覆土用シートの敷設に使用するシート台船。
【発明の詳細な説明】
【０００１】
【発明の属する技術分野】
本発明は、主として軟弱地盤上に覆土する際に敷設する覆土用シートの敷設方法に関する。
【０００２】
【従来の技術】
粘性土等の細粒土で埋立てられた軟弱地盤は、天日による自然乾燥だけでは土地として利用するのに必要な強度が得られないので、ペーパードレーン工法等によって地盤改良を行なう必要がある。
【０００３】
この場合、軟弱地盤に直接作業機械を載せることはできないので、軟弱地盤上にポリエステル等のネットまたはシートを敷設し、その上に覆土を行なうことにより、作業機械の荷重をそれらネットやシートの張力で分担させ、地盤改良を行なっている。
【０００４】
しかしながら、上記覆土用シート等を軟弱地盤上に敷設するには、軟弱地盤の支持力が小さく、一般的には軟弱地盤上に人が載ることができないので、何等からの工夫が必要である。
【０００５】
そこで従来、軟弱地盤上に水を張り、台船を浮かべて台船に覆土用シートのロールを載せて、覆土用シートを引張り出して敷設したり、軟弱地盤上にそりを載せて、そりの上に覆土用シートロールを載せて、覆土用シートを引張り出して敷設したりしていた。
【０００６】
しかしながら、覆土用シートを敷設する面積が小さい場合は、これらの設備費が全体工費に占める割合が大きくなり、経済的に問題があった。
【０００７】
【発明が解決しようとする課題】
本発明は、覆土用シートを敷設するための設備費用が比較的少なくてすみ、経済的にかつ安全に覆土用シートを敷設することができる覆土用シートの敷設方法および敷設に使用するシート台船を提供する。
【０００８】
【課題を解決するための手段】
本発明は、多角形の各辺を骨組で形成し、各辺で囲まれた内側には不透水性シートを張設して形成したシート台船を、覆土用シート敷設区域の一辺に位置させ、牽引手段に連結し、覆土用シートをシート台船上に展張し、すでに敷設した覆土用シートが存在する場合は、すでに敷設した覆土用シートと展張した覆土用シートの接した端部を互いに連結した後、上記牽引手段でシート台船を次の覆土用シートを敷設する位置へ移動して、上記の覆土用シートの敷設作業を繰り返し行なう覆土用シートの敷設方法からなり、またその場合、多角形の各辺の骨組を浮体としたり、不透水性シートとして、高密度ポリエチレンシートを使用したりする。
【０００９】
またさらには、多角形の各辺を骨組で形成し、骨組と骨組とで囲まれた空間に高密度ポリエチレンシートを骨組を包み込むように貼った覆土用シートの敷設に使用するシート台船からなる。
【００１０】
【発明の実施の形態】
以下図面を参照して本発明の覆土用シートの敷設方法の一実施の形態につき説明する。
【００１１】
図１はこの敷設方法により軟弱地盤を覆土する際に覆土用シートの敷設時に使用する作業用足場であるシート台船１の平面図である。このシート台船１はほぼ矩形の四辺形からなり、その長辺Ｌは図４に示す覆土用シート敷設区域２の一辺Ｘよりやや短くし、かつその短辺Ｗは図４に示す覆土用シート３の幅Ｙよりやや長くしている。
【００１２】
即ち、図１と図４のこの実施形態においては、例えば覆土用シート敷設区域２の一辺Ｘ＝５０ｍに対し、シート台船１の長辺Ｌ＝４９．５ｍとしており、また覆土用シート３の幅Ｙ＝１０ｍに対し、短辺Ｗ＝１３ｍとしている。
【００１３】
上記のシート台船１のほぼ矩形の４辺は浮体から成り、図２の要部拡大側断面図に示すごとく、鋼管４で補強した発泡スチロール５で形成されており、このように４辺に形成した骨組と骨組とで囲まれた空間に不透水性シート６を骨組を包み込むようにして貼っており、この不透水性シート６上に適宜な間隔で図３の要部拡大側断面図に示すごとく補強用の鋼管７を配置しており、その配置位置は図１において鋼管７で示しているとおりである。
【００１４】
なお、シート台船１のほぼ矩形の４辺の骨組は、シート台船１上に荷重が載ったときに、シート台船１が沈み、その周囲の軟弱地盤や水がシート台船１内に侵入しない形状であれば浮体である必要はないが、万一シート台船１のシートが破れた時にシート台船１が沈まないように浮体を用いることがより好ましい。また、補強用の鋼管７は必要に応じて配置すればよく、不要の場合もある。
【００１５】
次に、上記の構成からなるシート台船１を図４の覆土用シート施設区域２の一端部に載せ、覆土用シート施設区域２近傍に配置した牽引手段であるウインチ８とロープ９で連結した後、覆土用シート敷設区域２のシート台船１の短辺が対向した２辺から、それぞれロール状の覆土用シート３を上記シート台船１上に人手等によって矢印Ｅ，Ｆ方向に広げてそれぞれＺ＝３０ｍだけ展張して、接した端部同士と、すでに敷設された覆土用シート３が存在する場合は、すでに敷設された覆土用シート３と展張した覆土用シート３の接した端部同士を連結した後、上記ウインチ８でロープ９を矢印Ｔ方向に巻き取ることにより、シート台船１を次の覆土用シート３の敷設位置へ移動し、上記の覆土用シート３の敷設作業を繰り返し行なうことにより覆土用シート３の敷設が行なわれる。
【００１６】
なお、覆土用シート３は覆土用シート敷設区域２のシート台船１の短辺が対向した１辺から他の１辺に向けてシート台船１上に人手等によって展張してもよい。
【００１７】
上記のごとくシート台船１の骨組で囲まれた空間に貼る不透水性シート６としては各種の材料のものを採用することができるが、例えばこの実施形態においては高密度ポリエチレンシートを使用しており、この高密度ポリエチレンシートは引張り強度や耐薬品性、さらには耐突刺し抵抗性が高く、またシート台船１上の中心部における連結は、熱融着機材による接合で行なうことができると共に、そのシート素材の比重が水より軽いのでシート台船１に浮力を与えることができる。
【００１８】
さらに高密度ポリエチレンシートは、安価でかつ短期に製作でき、軽量であり、そのシートの素材が硬いので、シート上に重量物を搭載してもその剛性によりシート台船１の軟弱地盤の泥面や水面上での沈み込みが少なく、現場加工も安易であり、シート台船１として最適である。
【００１９】
なお、本実施形態ではシート台船１をほぼ矩形の四辺形としているが、必要に応じて三角形、四角形、五角形、六角形等多角形とすることができる。また牽引手段としてはウインチの他にブルドーザ、バックホウ等を使用することができる。
【００２０】
【発明の効果】
以上に説明した本発明の覆土用シートの敷設方法によれば、安価でかつ剛性や耐薬品性、さらには耐突刺し抵抗性が高い材料を使用した作業足場用のシート台船を現場で容易に組みたてて、そのシート台船上で覆土用シートを敷設し、さらにシート台船を牽引手段で移動させる覆土用シートの敷設作業を繰り返し行なうことができるので、経済的に、かつ能率的に覆土用シートの敷設を行なうことができる。
【図面の簡単な説明】
【図１】本発明の敷設方法による覆土用シートの敷設時に使用するシート台船の平面図である。
【図２】図１のシート台船のほぼ矩形の４辺を形成する要部拡大の側断面図である。
【図３】図１のシート台船の補強用の鋼管を示す要部拡大の側断面図である。
【図４】図１のシート台船を使用して覆土用シート敷設区域に覆土用シートを敷設する作業手順を説明する斜視図である。
【符号の説明】
１    シート台船
２    覆土用シート敷設区域
３    覆土用シート
４    鋼管
５    発泡スチロール
６    不透水性シート
７    補強用の鋼管
８    ウインチ
９    ロープ
【図１】
0003560565.tif 000002
【図２】
0003560565.tif 000003
【図３】
0003560565.tif 000004
【図４】
0003560565.tif 000005